(57)【特許請求の範囲】
【請求項１】
表紙に対して重ね合わせた綴じ具を留め具にて固定してなるファイルであって、
前記留め具が、
拡頭部と、内部に通孔を有する首部と、該首部の遊端側外周に形成されると共に前記通孔の内方に撓んで孔の開口部に弾発的に係わり合い／解除する弾発係合部とを有する係合部材と、
前記通孔に挿入／離脱可能な円柱形の首部を有し、当該首部全体を前記通孔に挿入することによって前記通孔を埋めて前記弾発係合部の係わり合い状態が解除されることを禁止するロック部材と
から構成され、
前記係合部材の前記首部を、互いに重ね合わせた前記表紙及び前記綴じ具に形成された孔を介してその一方から他方に貫通させると共に前記弾発係合部を前記表紙または前記綴じ具の前記孔の開口部に係わり合わせることによって前記拡頭部と前記弾発係合部との間に前記表紙と前記綴じ具とを挟んだ状態で前記ロック部材の首部を前記拡頭部側から前記係合部材の前記通孔に挿入して前記表紙に対して前記綴じ具を固定するようにしてなり、
前記ロック部材の円柱形の首部の外周に係合凹部が形成され、前記係合部材の通孔には、当該通孔に前記ロック部材の首部が挿入された際に前記係合凹部に対して弾発的に係わり合う係合突起が形成されたことを特徴とするファイル。
【発明の詳細な説明】
【０００１】
【発明の属する技術分野】
本発明は、表紙に対して重ね合わせた綴じ具を留め具にて固定してなるファイルに関するものである。
【０００２】
【従来の技術】
紙片の一端縁に規定ピッチで複数の孔を穿設し、この孔にパイプ形成体を挿通することにより、多数の紙片をまとめて綴じることができるようにしたパイプ式ファイルが、書類整理を行うために一般に多用されている。
【０００３】
一方、近時、資源再利用の機運が高まるに連れ、資源ごみの分別収集がより一層徹底される傾向にあり、上記パイプ式ファイルも例外ではなく、互いに異なる材料からなる綴じ具の部分と表紙の部分とが容易に分離し得るように構成されることが望まれている。
【０００４】
【発明が解決しようとする課題】
しかるに、通常使用時の表紙と綴じ具との結合強度と、廃棄時の表紙と綴じ具との分解容易性とは、互いに反対の特性であり、両者を両立することは、極めて困難である。
【０００５】
本発明は、このような従来技術に課せられた問題点、即ち、通常使用時の強度を重視すると分解が厄介となり、分解容易性を重視すると強度が不足しがちとなる点を解消し、通常使用時の強度を阻害することなく、廃棄時に表紙と綴じ具とをより一層容易に分解することができるように構成されたファイルを提供することを目的とするものである。
【０００６】
【課題を解決するための手段】
このような目的を果たすために、本発明によるファイルは、表紙に対して重ね合わせた綴じ具を留め具にて固定すべく、前記留め具が、拡頭部と、内部に通孔を有する首部と、該首部の遊端側外周に形成されると共に前記通孔の内方に撓んで孔の開口部に弾発的に係わり合い／解除する弾発係合部とを有する係合部材と、前記通孔に挿入／離脱可能な円柱形の首部を有し、当該首部全体を前記通孔に挿入することによって前記通孔を埋めて前記弾発係合部の係わり合い状態が解除されることを禁止するロック部材とから構成され、前記係合部材の前記首部を、互いに重ね合わせた前記表紙及び前記綴じ具に形成された孔を介してその一方から他方に貫通させると共に前記弾発係合部を前記表紙または前記綴じ具の前記孔の開口部に係わり合わせることによって前記拡頭部と前記弾発係合部との間に前記表紙と前記綴じ具とを挟んだ状態で前記ロック部材の首部を前記拡頭部側からを前記係合部材の通孔に挿入することにより、前記表紙に対して前記綴じ具が固定され、前記ロック部材の円柱形の首部の外周に係合凹部が形成され、前記係合部材の通孔には、当該通孔に前記ロック部材の首部が挿入された際に前記係合凹部に対して弾発的に係わり合う係合突起が形成されたものとした。
【０００７】
【発明の実施の形態】
以下に添付の図面を参照して本発明の構成を詳細に説明する。
【０００８】
図１は、本発明が適用されたパイプ式ファイルの第１の実施形態を示している。このパイプ式ファイルは、厚紙にビニールレザーで表装した表紙１と、金属材で構成された綴じ具２とからなっており、綴じ具２は、背表紙１ａの内面に複数の留め具３を用いて固定されている。
【０００９】
留め具３は、図２及び図３に示すように、係合部材４と、この係合部材４の係わり合う状態を維持するためのロック部材５とからなっている。係合部材４は、拡頭部４ａと、首部４ｂと、拡頭部４ａ及び首部４ｂを貫通する通孔４ｃと、後記弾発係合部４ｅを通孔４ｃ内方に撓み易くすべく首部４ｂに形成された複数の軸線方向スリット４ｄと、首部４ｂの遊端側外周に形成された弾発係合部４ｅとからなっている。また、ロック部材５は、拡頭部５ａと、上記係合部材４の通孔４ｃに挿入すべくこの通孔４ｃを埋める形状をなす首部５ｂとからなっている。通孔４ｃ及び首部５ｂにはその中間部にテーパが形成され、寸法誤差があってもがたつきが生じないようになっている。
【００１０】
一方、綴じ具２及び背表紙１ａには、上記係合部材４の首部４ｂを挿通すべく首部４ｂと略同一径寸法の複数の孔７、８が形成されている。また、綴じ具２のベース部２ａの上下端は、例えばマイナスドライバの先端を差し込めるようにするためにプレス成形によって引き起こし部９が形成されている。これにより、ベース部２ａの上下端の一部が、背表紙１ａの内面から浮き上がっている。
【００１１】
次に表紙１と綴じ具２との固定要領について説明する。まず、表紙１と綴じ具２とを対応する孔７、８が整合するように重ね合わせ、孔７、８を介して上記係合部材４の首部４ｂを背表紙１ａ側から綴じ具２に貫通させ、綴じ具２の孔７の開口部７ａに弾発係合部４ｅを係わり合わせ、拡頭部４ａと弾発係合部４ｅとの間に表紙１と綴じ具２とを挟んだ状態とする。そして、ロック部材５の首部５ｂを、係合部材４に於ける拡頭部４ａと相反する側から通孔４ｃに挿入することにより、弾発係合部４ｅが縮径できなくなる。これにより、係合部材４の係わり合い状態が解除されることが禁止（抜け止め）される。
【００１２】
ここで、孔７の開口部７ａは、綴じ具２の表面からやや凹んだ拡頭部５ａと略同一径寸法の凹部２ｂに設けられている。これによって拡頭部５ａが凹部２ｂの側壁に摺接してロック部材５が抜け止めされている。
【００１３】
次に表紙１と綴じ具２との分解要領について説明する。まず、矢印で示すように拡頭部４ａと相反する側からロック部材５の首部５ｂの先端５ｃを押圧してロック部材５を係合部材４から離脱させる。そして、例えば綴じ具２のベース部２ａと背表紙１ａとの間に引き起こし部９からマイナスドライバの先端を差し込んで抉るなどして弾発係合部４ｅを通孔４ｃ内方に撓ませて開口部７ａとの係わり合い状態を解除して孔７、８から係合部材４を脱落させる。これにより、表紙１と綴じ具２とを分解することができる。
【００１４】
図４は、第１の実施形態の変形例であり、本発明をリングファイルに適用したものを示している。これの場合、綴じ具２の形状が上記構成とは異なり、係合部材４及びロック部材５の長さが大きくなっていること以外は第１の実施形態と同様である。
【００１５】
図５は、本発明が適用されたパイプ式ファイルの第２の実施形態を示す図２と同様な断面図であり、第１の実施形態と同様な部分には同じ符号を付し、その詳細な説明を省略する。本構成では、係合部材１４の拡頭部１４ａ側からロック部材１５の首部１５ｂを挿入する構造としている。この構造により、組み付けを一方向から行うことができ、その作業容易性が向上する。分解時には、拡頭部１４ａ側からロック部材１５の首部１５ｂの先端１５ｃを矢印で示すように押圧し、ロック部材１５を係合部材１４から離脱させる。
【００１６】
また、係合部材１４の通孔１４ｃに係合突起１４ｆが形成され、ロック部材１５の首部１５ｂ外周に於ける係合突起１４ｆに対応する部分に係合凹部１５ｄが形成されている。ロック部材１５の首部１５ｂを通孔１４ｃに挿入すると係合突起１４ｆと係合凹部１５ｄとが弾発的に係わり合うようになっている。これにより、組み立て時に節度感が得られるまでロック部材１５の首部１５ｂを通孔１４ｃに挿入すれば良く、その組み立て作業容易性が向上している。また、ロック部材１５が節度をもって係合部材１４に結合するため、ロック部材１５が抜け落ちることも防止できる。それ以外の構造は第１の実施形態と同様である。
【００１７】
【発明の効果】
このように本発明によれば、拡頭部と、内部に通孔を有する首部と、その外周に形成されると共に通孔の内方に撓んで孔の開口部に弾発的に係わり合い／解除する弾発係合部とを有する係合部材と、上記通孔に挿入／離脱可能であり、これに挿入することによって弾発係合部の係わり合い状態を維持し、離脱することによって係わり合い状態を解除容易とするロック部材とから構成された留め具を用いて表紙に対して綴じ具を固定することにより、通常は表紙に対して綴じ具が堅固に固定され、また分解時には、ロック部材を離脱させて解除容易な状態となった係合部材の係わり合いを解除するのみで、表紙と綴じ具とを容易に分離させることが可能となる。しかも、綴じ具並びに表紙自体には変更を加える必要が全く無く、表紙に対する綴じ具の取付工程も簡便になることから製造コストに及ぼす影響も殆どない。
【図面の簡単な説明】
【図１】本発明が適用されたパイプ式ファイルの第１実施形態の要部斜視図。
【図２】表紙に綴じ具を固定する部分の拡大斜視図。
【図３】図２のIII−III線について見た拡大断面図。
【図４】本発明の第１の実施形態の変形例を示すリングファイルの表紙に綴じ具を固定する部分の図２と同様な拡大断面図。
【図５】本発明の第２の実施形態を示すパイプ式ファイルの表紙に綴じ具を固定する部分の図２と同様な拡大断面図。
【符号の説明】
１  表紙
１ａ  背表紙
２  綴じ具
２ａ  ベース部
２ｂ  凹部
３  留め具
４  係合部材
４ａ  拡頭部
４ｂ  首部
４ｃ  通孔
４ｄ  軸線方向スリット
４ｅ  弾発係合部
５  ロック部材
５ａ  拡頭部
５ｂ  首部
５ｃ  先端
７、８  孔
７ａ  開口部
９  引き起こし部
１４  係合部材
１４ａ  拡頭部
１４ｂ  首部
１４ｃ  通孔
１４ｄ  軸線方向スリット
１４ｅ  弾発係合部
１４ｆ  係合突起
１５  ロック部材
１５ａ  拡頭部
１５ｂ  首部
１５ｃ  先端
１５ｄ  係合凹部
【図１】
0004204222.tif 000002
【図２】
0004204222.tif 000003
【図３】
0004204222.tif 000004
【図４】
0004204222.tif 000005
【図５】
0004204222.tif 000006